(57)【特許請求の範囲】
【請求項１】
首かけライトであって、
本体と、
前記本体に固定されており、光を照射するライトが設けられた光源部とを備え、
前記本体の、前記光源部の光照射方向とは反対側の面である裏面に、ユーザが当該首かけライトを胸の前に装着するために首にかけるストラップを取り付けるための一対の取付部が、設けられており、
前記一対の取付部は、
正面から見たとき、左右対称となる位置に設けられており、
側面から見たとき、当該首かけライトの重心位置と前記一対の取付部の位置とを結ぶ直線が前記光照射方向の垂直方向に対してなす角度が、３０度〜９０度の範囲になる位置に、設けられており、
前記本体は、正面から見たとき、前記光源部から、それぞれ、右斜め上方向および左斜め上方向に突出するように形成された第１および第２突出部を備えており、
前記第１および第２突出部に、それぞれ、前記ライトに電気を供給する電池を収納するための電池収納部がそれぞれ設けられており、
前記一対の取付部は、一方は、前記第１突出部の前記裏面に設けられており、他方は、前記第２突出部の前記裏面に設けられている
ことを特徴とする首かけライト。
【請求項２】
請求項１記載の首かけライトにおいて、
前記第１および第２突出部は、正面から見たとき、左右対称になるように設けられている
ことを特徴とする首かけライト。
【請求項３】
請求項１または２記載の首かけライトにおいて、
前記第１および第２突出部に設けられた電池収納部は、同一規格の電池が、同じ個数ずつ、収納されるように構成されている
ことを特徴とする首かけライト。
【請求項４】
請求項１〜３のうちいずれか１項記載の首かけライトにおいて、
前記本体は、前記第１および第２突出部の突出方向がなす角度が可変なように、構成されている
ことを特徴とする首かけライト。
【請求項５】
請求項１〜４のうちいずれか１項記載の首かけライトにおいて、
前記光源部は、ヒンジ構造によって、前記本体と接続されている
ことを特徴とする首かけライト。
【請求項６】
請求項１〜５のうちいずれか１項記載の首かけライトにおいて、
前記取付部は、逆Ｕ字状に形成されたフックであり、
前記ストラップは、前記取付部に、掛け部材を介して、取り付けられるものであり、
前記掛け部材は、前記取付部を両側から挟む、可撓性を持つ２個の突出部を有し、前記２個の突出部は、互いに対向する面にそれぞれ、前記取付部の内側に挿入される突起が形成されている
ことを特徴とする首かけライト。
【請求項７】
請求項１〜６のうちいずれか１項記載の首かけライトにおいて、
前記光源部は、正面から見たときの外周部分が、リング状に光るように構成されている
ことを特徴とする首かけライト。
【発明の詳細な説明】
【技術分野】
【０００１】
本発明は、前方に光を照射するために、ストラップを首にかけて胸の前に装着する照明器具である首かけライトに関する。
【背景技術】
【０００２】
特許文献１は、夜道を歩く際等に、ＬＥＤを点灯させ、前方を明るく照らすサーチライトとして使用される携帯用ライトを開示している。この携帯用ライトは、把手部を片手でもって持ち運ぶことができる為、犬の散歩やキャンプ、夜釣り等で両手が使用できない時に便利、とされている。
【先行技術文献】
【特許文献】
【０００３】
【特許文献１】特開２０１５−４６２７６号公報
【発明の概要】
【発明が解決しようとする課題】
【０００４】
例えば夜釣りの場合には、自分の手許や前方を光で照らしつつ、両手で餌付け等の作業を行いたい場合が多い。このような場合、多くのユーザは、いわゆるヘッドライトを用いている。ヘッドライトのバンドを緩めて首にかけ、前方を光で照射しながら、両手を用いて作業を行っている。ところが、首にかけたヘッドライトは、ふらつきが多く、光の照射方向がなかなか安定しないという問題がある。
【０００５】
本発明は、安定して装着できる首かけライトを提供することを目的とする。
【課題を解決するための手段】
【０００６】
本発明の態様では、首かけライトは、本体と、前記本体に固定されており、光を照射するライトが設けられた光源部とを備え、前記本体の、前記光源部の光照射方向とは反対側の面である裏面に、ユーザが当該首かけライトを胸の前に装着するために首にかけるストラップを取り付けるための一対の取付部が、設けられており、前記一対の取付部は、正面から見たとき、左右対称となる位置に設けられており、側面から見たとき、当該首かけライトの重心位置と前記一対の取付部の位置とを結ぶ直線が前記光照射方向の垂直方向に対してなす角度が、３０度〜９０度の範囲になる位置に、設けられている。そして、前記本体は、正面から見たとき、前記光源部から、それぞれ、右斜め上方向および左斜め上方向に突出するように形成された第１および第２突出部を備えており、前記第１および第２突出部に、それぞれ、前記ライトに電気を供給する電池を収納するための電池収納部が設けられており、前記一対の取付部は、一方は、前記第１突出部の前記裏面に設けられており、他方は、前記第２突出部の前記裏面に設けられている。
【０００７】
この構成によると、ストラップで首かけライトを吊り下げたとき、首かけライトが前方に傾斜するため、ユーザがストラップを首にかけて首かけライトを胸の前に装着したとき、本体の裏面下側部分がユーザの胸に当たった状態になる。このため、例えば、ユーザが前傾姿勢で作業している場合や、歩行している場合等において、首かけライトの装着状態が安定し、光源部からの光の照射方向が安定する。また、左右のバランスがとれるので、首かけライトの揺れをより確実に抑制することができる。また、首かけライトは、正面から見たとき、光源部からそれぞれ、右斜め上方向および左斜め上方向に突出するように、第１および第２突出部が形成されている。これにより、首かけライトが身体に当たる部分の表面積が増え、身体にフィットするため、首かけライトを胸の前に装着したとき、首かけライトが左右にぶらぶら揺れたり、あるいは、光源部から照射される光の向きが上下または左右に振れたりすることを、抑えることができる。しかも、第１および第２突出部に設けられた電池収納部に収納された電池が重りの役割を果たすため、首かけライトの装着状態がより安定する。さらに、第１および第２突出部の内部スペースが、電池収納部を設けることによって有効活用されているので、首かけライトをよりコンパクトに構成することが可能になる。
【０００８】
さらに、前記態様の首かけライトにおいて、前記第１および第２突出部は、正面から見たとき、左右対称になるように設けられているのが好ましい。
【０００９】
これにより、左右のバランスがとれるので、首かけライトの揺れをより確実に抑制することができる。
【００１０】
また、前記態様の首かけライトにおいて、前記第１および第２突出部に設けられた電池収納部は、同一規格の電池が、同じ個数ずつ、収納されるように構成されているのが好ましい。
【００１１】
これにより、左右の重量のバランスがとれるので、首かけライトの揺れをより確実に抑制することができる。
【００１２】
また、前記態様の首かけライトにおいて、前記本体は、前記第１および第２突出部の突出方向がなす角度が可変なように、構成されているのが好ましい。
【００１３】
これにより、ユーザは、第１および第２突出部がなす角度を、身体によりフィットする角度に調整することが可能になるため、首かけライトの重さを感じにくくなる。
【００１４】
また、前記態様の首かけライトにおいて、前記光源部は、ヒンジ構造によって前記本体と接続されているのが好ましい。
【００１５】
これにより、装着状態が安定した首かけライトについて、光の照射方向を容易に調整可能となる。
【００１６】
また、前記態様の首かけライトにおいて、前記取付部は、逆Ｕ字状に形成されたフックであり、前記ストラップは、前記取付部に、掛け部材を介して、取り付けられるものであり、前記掛け部材は、前記取付部を両側から挟む、可撓性を持つ２個の突出部を有し、前記２個の突出部は、互いに対向する面にそれぞれ、前記取付部の内側に挿入される突起が形成されている、としてもよい。
【００１７】
これにより、首かけライトは、本体に対してストラップが回動する機能と、ストラップが強く引っ張られたときに外れやすい機能とを、併せて持つことができる。
【００１８】
また、前記態様の首かけライトにおいて、前記光源部は、正面から見たときの外周部分が、リング状に光るように構成されているのが好ましい。
【００１９】
これにより、光源部において、ランプとは別のタイプの照明が可能になる。
【発明の効果】
【００２０】
本発明によると、安定して装着できる首かけライトを実現することができる。
【図面の簡単な説明】
【００２１】
【図１】実施形態に係る首かけライトの外観を示す斜視図
【図２】首かけライトの正面図
【図３】首かけライトの背面図
【図４】首かけライトの右側面図
【図５】首かけライトの左側面図
【図６】首かけライトの平面図
【図７】首かけライトの底面図
【図８】ストラップの取り付け位置を示す模式図
【図９Ａ】前傾作業における、本実施形態のストラップ取り付け位置での状態
【図９Ｂ】前傾作業における、通常のストラップ取り付け位置での状態
【図１０Ａ】歩行時における、本実施形態のストラップ取り付け位置での状態
【図１０Ｂ】歩行時における、通常のストラップ取り付け位置での状態
【図１１Ａ】取付部に掛け部材を取り付けた状態を示す図
【図１１Ｂ】掛け部材の外観図
【図１２】光源部の例を示す図
【発明を実施するための形態】
【００２２】
以下、本発明の実施形態について図面を参照して詳細に説明する。
【００２３】
図１は実施形態に係る首かけライトの外観を示す斜視図である。ここで、首かけライト（あるいはチェストライトともいう）とは、ユーザがストラップを首にかけて胸の前に装着し、前方に光を照射するために用いる照明器具のことをいう。首かけライトは、例えば、夜釣りや登山等の際に用いられる。また、図２〜図７は首かけライトの外観を示す図であり、図２は正面図、図３は背面図、図４は右側面図、図５は左側面図、図６を平面図、図７は底面図である。なお、図２〜図７では、ストラップを外した状態を示している。
【００２４】
首かけライト１は、本体１０と、本体１０に固定された光源部２０とを備えている。光源部２０には、前方に光を照射するライト２１ａ，２１ｂが設けられている。光源部２０は、正面から見たとき、少し横に広がった八角形の外形を有しており、２個のライト２１ａ，２１ｂが横に並んで配置されている。光源部２０の上面に、ライト２１ａ，２１ｂのオンオフや光量等を調整するためのスイッチ２２が設けられている。また、光源部２０は、その下端側が、ヒンジ構造２３（図３参照）によって本体１０と接続されており、光の照射方向を上下に調整することが可能になっている。なお、光源部２０は、上端側や側面部など、他の部分がヒンジ構造２３によって本体１０と接続されていてもよい。光源部２０がヒンジ構造２３によって本体１０と接続されていることによって、光の照射方向を容易に調整可能となる。
【００２５】
本体１０は、正面から見たとき、若干開き気味のＶ字状の形状を有している。すなわち、本体１０は、正面から見たとき、光源部２０から右斜め上方向に突出するように形成された第１突出部１１と、光源部２０から左斜め上方向に突出するように形成された第２突出部１２とを、備えている。第１および第２突出部１１，１２は、正面から見たとき、左右対称になるように設けられている。図２では、第１突出部１１が突出する方向と、第２突出部１２が突出方向とがなす角度θ１は、ほぼ１００度である。なお、角度θ１は、例えば、６０度〜１５０度の範囲であるのが好ましい。
【００２６】
そして、第１および第２突出部１１，１２に、それぞれ、電池収納部１１ａ，１２ａが設けられている。電池収納部１１ａ，１２ａには、ライト２１ａ，２１ｂに電気を供給する電池が収納される。電池収納部１１ａ，１２ａには、同一規格の電池が、同じ個数ずつ、収納されるように構成されている。例えばここでは、単三型の乾電池または充電池が、２個ずつ、電池収納部１１ａ，１２ａに、収納されるようになっている。
【００２７】
また、第１および第２突出部１１，１２の裏面に、それぞれ、首かけライト１にストラップ３０を取り付けるための取付部１４が設けられている。ユーザは、ストラップ３０を首にかけることによって、首かけライト１を自分の胸の前に装着することができる。ここでは、取付部１４は、側面から見た形状が逆Ｕ字状に形成された幅広のフックであり、ストラップ３０は、取付部１４に、掛け部材１５を介して、取り付けられる。
【００２８】
本実施形態の構成によって、次のような効果が得られる。正面から見たとき、光源部２０から、第１および第２突出部１１，１２が、それぞれ、右斜め上方向および左斜め上方向に突出するように形成されている。これにより、首かけライト１が身体に当たる部分の表面積が増え、身体にフィットするため、首かけライト１を胸の前に装着したとき、首かけライト１が左右にぶらぶら揺れたり、あるいは、光源部２０から照射される光の向きが上下または左右に振れたりすることを、抑えることができる。しかも、第１および第２突出部１１，１２にそれぞれ電池収納部１１ａ，１１ｂが設けられているので、電池収納部１１ａ，１１ｂに収納された電池が重りの役割を果たすため、首かけライト１の装着状態がより安定する。さらに、第１および第２突出部１１，１２の内部スペースが、電池収納部１１ａ，１１ｂを設けることによって有効活用されているので、第１および第２突出部１１，１２を有する首かけライト１を、よりコンパクトに構成することが可能になる。
【００２９】
また、本実施形態に示したように、第１および第２突出部１１，１２は、正面から見たとき、左右対称になるように設けられているのが好ましい。これにより、左右のバランスがとれるので、首かけライト１の揺れをより確実に抑制することができる。また、第１および第２突出部１１，１２に設けられた電池収納部１１ａ，１２ａは、同一規格の電池が、同じ個数ずつ、収納されるように構成されているのが好ましい。これにより、左右の重量のバランスがとれるので、首かけライト１の揺れをより確実に抑制することができる。
【００３０】
さらに、本実施形態では、首かけライト１の装着状態をより安定させるために、ストラップ３０の取り付け位置についても工夫している。
【００３１】
上述したとおり、第１および第２突出部１１，１２の裏面に、それぞれ、首かけライト１にストラップ３０を取り付けるための取付部１４が設けられている。ただし、図３に示すように、取付部１４は、第１および第２突出部１１，１２の先端部近傍ではなく、ほぼ中程のあたりに取り付けられている。通常は、取付部１４は、第１および第２突出部１１，１２の先端部近傍に取り付けるものと考えられるが、本実施形態では、あえて、先端部近傍ではなく中程のあたり、例えば、先端部から３〜５ｃｍ程度離した位置に、取り付けている。この取付部１４の位置によって、図８に示すように、ストラップ３０を取り付けて首かけライト１を吊り下げたとき、取付部１４の位置と首かけライト１の重心との関係から、首かけライト１が前方に回転し傾斜する。例えば、鉛直方向に対する本体１０の傾斜角θ２が３０度〜９０度の範囲になる位置に、取付部１４を設けるようにする。特に好ましくは、鉛直方向に対する本体１０の傾斜角θ２が４５度になる位置に、取付部１４を設けるようにすればよい。
【００３２】
これにより、例えば図９Ａに示すように、ユーザが前傾姿勢で作業を行っているとき、首かけライト１の本体１０の裏面下側部分がユーザの胸に当たった状態になる。すなわち、首かけライト１の本体１０がユーザの胸に常に触れているため、首かけライト１はぶらぶら動かず、光源部２０からの光の照射方向は安定する。一方、取付部１４が第１および第２突出部１１，１２の先端部近傍に設けられている場合には、図９Ｂに示すように、本体１０がユーザの首から吊り下げられ宙に浮いた状態になるため、首かけライト１はふらふらし、光源部２０からの光の照射方向は安定しない。
【００３３】
ユーザが歩行しているときも同様の効果が得られる。すなわち、本実施形態の構成では、図１０Ａに示すように、首かけライト１の本体１０の裏面下側部分からユーザの身体に力が加わるため、歩行による身体の動きの首かけライト１への影響は少なくなり、光源部２０からの光の照射方向が安定し、歩きやすい。一方、取付部１４が第１および第２突出部１１，１２の先端部近傍に設けられている場合には、図１０Ｂに示すように、首かけライト１の本体１０がユーザの歩行に応じて上下左右に揺れる。このため、光源部２０からの光の照射方向が安定せず、歩きにくい。
【００３４】
このように、本実施形態では、ストラップ３０を取り付けるための取付部１４の位置を、あえて、首かけライト１が前方に傾斜するように、設定している。これにより、例えば、ユーザが前傾姿勢で作業している場合や、歩行している場合等において、首かけライト１の装着状態をより安定させることができ、光源部２０からの光の照射方向を安定させることができる。
【００３５】
なお、上述したようなストラップの取り付け位置の工夫は、本実施形態で示した首かけライトの構成だけでなく、他の構成の首かけライトにも適用可能である。すなわち、本体と、本体に固定されており、光を照射するライトが設けられた光源部とを備えた首かけライトであれば、本体の裏面に、取付部を、ストラップを取り付けて当該首かけライトを吊り下げたとき、当該首かけライトが前方に傾斜する位置に、設けるようにすればよい。これにより、本実施形態で説明したものと同様の作用効果が得られる。
【００３６】
また、本体１０は、第１突出部１１の突出方向と第２突出部１２の突出方向とがなす角度が、可変なように構成されていてもよい。例えば、本体１０の基部に対して、第１および第２突出部１１，１２を、所定の角度範囲内で回動可能となる機構を介して固定すればよい。これにより、ユーザは、第１および第２突出部１１，１２がなす角度を、身体によりフィットする角度に調整することが可能になるため、首かけライト１の重さを感じにくくなる。
【００３７】
また、図１１Ａは取付部１４に掛け部材１５を取り付けた状態を示す図、図１１Ｂは掛け部材１５の外観図である。図１１Ａおよび図１１Ｂに示すように、掛け部材１５は、逆Ｕ字状に形成されたフックである取付部１４を両側から挟む、可撓性を持つ２個の突出部１５１を有している。２個の突出部１５１は、互いに対向する面にそれぞれ、取付部１４の内側に挿入される突起１５２が形成されている。突起１５２の先は、角が丸められている。このような構造により、ストラップ３０を取り付けるための掛け部材１５は、本体１０に対して前後方向に回動可能である。また、ストラップ３０が強く引っ張られると、可撓性を持つ突出部１５１が取付部１４の幅方向に開き、掛け部材１５が取付部１４から外れる。このような取付部１４と掛け部材１５の構成によって、首かけライト１は、本体１０に対してストラップ３０が回動する機能と、ストラップ３０が強く引っ張られたときに外れやすい機能とを、併せて持つことができる。
【００３８】
また、光源部２０は、正面から見たときの外周部分が、リング状に光るように構成されていてもよい。図１２はこのような光源部２０の例を示す図である。図１２の構成では、筐体２４の内部におけるランプ２１ａ，２１ｂの上側と下側に、例えば赤色のＬＥＤ２５が内蔵されている。また、正面から見たときの外周部分に、例えば透明の樹脂からなるリング状の導光部材２６が設けられている。導光部材２６の裏面には、ローレット２６ａが切られている。導光部材２６の下の筐体２４の一部には、光を透過させるための孔２７が形成されている。このような構造により、ＬＥＤ２５を点灯させると、導光部材２６が設けられている光源部２０の外周部分が光る。これにより、光源部２０において、ランプ２１ａ，２１ｂとはまた別のタイプの照明が可能になる。この光は直接光ではないため、例えば、ユーザの手許を優しく照らすことができる。なお、図１２の構成は一例であり、他の構成によって、光源部２０の正面から見たときの外周部分がリング状に光るようにしてもよい。
【符号の説明】
【００３９】
１  首かけライト
１０  本体
１１  第１突出部
１１ａ  電池収納部
１２  第２突出部
１２ａ  電池収納部
１４  取付部
１５  掛け部材
１５１  突出部
１５２  突起
２０  光源部
２１ａ，２１ｂ  ライト
２３  ヒンジ構造
２５  ＬＥＤ
２６  導光部材
３０  ストラップ
【図１】
0006703402.tif 000002
【図２】
0006703402.tif 000003
【図３】
0006703402.tif 000004
【図４】
0006703402.tif 000005
【図５】
0006703402.tif 000006
【図６】
0006703402.tif 000007
【図７】
0006703402.tif 000008
【図８】
0006703402.tif 000009
【図９Ａ】
0006703402.tif 000010
【図９Ｂ】
0006703402.tif 000011
【図１０Ａ】
0006703402.tif 000012
【図１０Ｂ】
0006703402.tif 000013
【図１１Ａ】
0006703402.tif 000014
【図１１Ｂ】
0006703402.tif 000015
【図１２】
0006703402.tif 000016